(57)【要約】  複数の分析装置、分析装置の稼働状況をデータ通信ネットワークを通じて収集する稼働状況収集部を備える分析用クライアントを含む分析システムにおいて、従来は複数の分析装置の各状況が表形式で表示されていたため、分析装置から離れた箇所に設置された分析用クライアントからは実際の分析装置の設置位置を知る術がないという問題があった。本発明の分析装置稼働状況表示システムでは、分析装置の配置位置が装置画像によって示された分析装置配置画像を表示させる。ユーザは分析装置の実際の配置位置を容易に把握することができる。また、装置画像上に各分析装置の稼働状況を表示させてもよい。これによって、各分析装置の稼働状況を知ることができる。さらに、装置画像をクリックすることによって、対応する分析装置の詳細設定画面が表示される構成とすることにより、制御操作をスムーズに行うことができる。
2007086140.tif 000002
【特許請求の範囲】
【請求項１】
複数の分析装置、分析装置の稼働状況をデータ通信ネットワークを通じて収集する稼働状況収集部を備える分析用クライアントを含み、
前記分析用クライアントが、
a)分析装置と一対一に対応付けられており、互いに識別可能な複数の装置画像が実際の分析装置の配置位置を表すように配置されてなる分析装置配置画像を保存する画像保存部
を備えることを特徴とする分析装置稼働状況表示システム。
【請求項２】
前記分析用クライアントが、
b)前記分析装置配置画像において、各装置画像上に、対応する分析装置の稼働状況を表示させた稼働状況画像を所定のタイミングで作成する稼働状況画像作成部
を更に備えることを特徴とする請求項１に記載の分析装置稼働状況表示システム。
【請求項３】
前記分析用クライアントが、
c)前記稼働状況画像の表示画面において、指示子が装置画像上に位置した状態で所定の入力操作が行われたことに基づき、該装置画像に対応する分析装置の設定画面を表示させる設定画面表示部
を更に備えることを特徴とする請求項１又は２に記載の分析装置稼働状況表示システム。
【請求項４】
前記分析用クライアントが、
d)該稼働状況画像の表示画面において、装置画像の上に指示子が重ねられた際に、対応する分析装置の稼働状況の詳細情報をポップアップ表示又は稼働状況画像の表示画面の所定の箇所に表示させる詳細情報表示部
を更に備えることを特徴とする請求項１〜３のいずれかに記載の分析装置稼働状況表示システム。
【請求項５】
前記分析用クライアントが、
e)ユーザより入力された分析装置種類指定指示に基づき、指定された種類の分析装置に対応する装置画像を前記稼働状況画像において相対的に強調表示させる表示種類選択部
を更に備えることを特徴とする請求項１〜４のいずれかに記載の分析装置稼働状況表示システム。
【請求項６】
分析装置稼働状況表示システムにおいて、データ通信ネットワークを通じて分析用クライアントと通信可能なサーバを更に含み、
前記サーバが前記画像保存部を備え、
前記クライアントの前記稼働状況画像作成部が、前記サーバの画像保存部に保存されている分析装置配置画像を利用することを特徴とする請求項１〜５のいずれかに記載の分析装置稼働状況表示システム。
【請求項７】
分析装置稼働状況表示システムにおいて、データ通信ネットワークを通じて分析用クライアントと通信可能なサーバを更に含み、
前記サーバが前記画像保存部及び前記稼働状況画像作成部を備え、
前記クライアントが、前記稼働状況画像作成部によって所定のタイミングで作成される稼働状況画像を表示することを特徴とする請求項１〜５のいずれかに記載の分析装置稼働状況表示システム。
【発明の詳細な説明】
【技術分野】
【０００１】
本発明は、液体クロマトグラフ装置、質量分析装置等の分析装置を遠隔監視するためのシステムに関し、特に、ネットワークに接続された複数台の分析装置の稼働状況を遠隔監視するためのシステムに関する。
【背景技術】
【０００２】
例えば液体クロマトグラフ装置では、複数の検体に対する分析を行う場合に、例えば、オートサンプラにおけるバイアル番号や注入量を設定した分析スケジュールを指定し、このスケジュールに従ってオートサンプラにより順番に検体を採取して分析を実行して分析データを取得することが行われる。通常、その分析装置の表示部に表示される画面上で、オペレータはスケジュールに則った分析の進捗状況を確認することができる。また、近年、分析装置のデータ処理／ 制御装置としてパーソナルコンピュータ（以下「パソコン」と略す）が使用されることが多く、こうした装置では、分析部と１対１に接続されたパソコンの画面上で分析の進捗状況を確認することができる。【０００３】
近年、こうした分析装置を利用している施設や企業では、複数台の分析装置を設置し、且つ、各分析装置を効率的に運用するために、それらをほぼ連続的に稼動させておくことが多い。そうした環境下では、オペレータが各分析装置の稼働状況を確認したり、空いている分析装置を探して分析を行ったり、或いは、自分が担当している複数の分析の進捗状況を確認したいなど、様々な要求がある。しかしながら、従来は、オペレータが各分析装置の設置場所へ行って、分析装置やそれに接続されたパソコンにより、その分析装置における分析進捗状況を確認する必要があった。そのため、多数台の分析装置が設置されていて、しかも設置場所が離れている場合、全体の分析装置の稼働状況を把握するためにはそれぞれの分析装置を全て見て回る必要があり、たいへん煩わしく非効率的であった。【０００４】
このような問題を解決するため、本願出願人は、特許文献１に記載の分析装置及び分析システムを既に提案している。この文献に記載の分析装置では、装置内情報収集手段がその分析装置における分析の進捗状況を示す分析進捗情報を収集するとともに、装置外情報収集手段は当該分析装置以外で、ネットワークに接続されている他の分析装置における分析の進捗状況を示す分析進捗情報をそのネットワークを介した通信によって収集する。分析進捗情報は、各分析装置において分析手順を指示した分析スケジュール表に則って自動的に進行される分析のステータス情報（例えば、実行前待機中、実行中、終了、エラー発生など）のほか、その分析の担当者を識別する情報や、分析の終了予定時刻などを含むことができる。各分析装置における、こうした分析進捗情報は当該分析装置に集約され、その後、情報統合手段はこれら分析進捗情報を統合して所定形式、典型的には一覧表形式で表示できるように構成する。そして、表示手段はこうした分析進捗情報の一覧表を画面上に表示する。この分析装置によれば、オペレータは当該分析装置の設置場所に居ながら、他の分析装置における分析の進捗状況も確認することができる。そのため、例えば、その時点で空いている、或いは、間もなく空くことになっている分析装置を探すことによって、全ての分析装置を効率的に稼動させることが容易に行える。また、各分析装置が離れた場所に設置されていても、稼働状況を確認するために見て回る必要がなく、作業効率も向上する。【０００５】
また、特許文献１に記載の分析システムでは、上述した分析装置と同様に、複数の分析装置から分析進捗情報を或る１台の分析装置に集約した後、それら分析進捗情報を統合して一覧表形式等で表示できるように構成するが、その情報をネットワークを介してクライアント端末へと送信し、そのクライアント端末の表示画面上に表示させる。ここで言うクライアント端末はパーソナルコンピュータであって、分析装置で取得した分析データを解析処理する機能を持たせたり、或いはこうしたデータを蓄積するデータベースサーバの機能を持たせたりするように構成することができる。従って、この分析システムでは、オペレータはクライアント端末の設置場所に居ながら、全ての分析装置の分析進捗状況を確認することができる。【０００６】
【特許文献１】特開2004-85356号公報
【発明の開示】
【発明が解決しようとする課題】
【０００７】
先に述べたように、特許文献１に記載の分析システムでは、複数の分析装置の各状況が表形式で表示される（例：図６）。即ち、「LC1」、「LC2」、…といった固有の識別名によってのみ各装置が識別される。
ところで、ユーザがネットワーク上の端末で分析装置を制御した後、該当する分析装置まで足を運び、サンプルをセットするといった作業は比較的頻繁に行われるが、このような作業を行いたい場合、目的とする分析装置が実際にどこに設置されているかは、特許文献１の分析システムにおける表では知ることができず、記憶に頼るか別途用意された管理図を参照するかしかなく、非常に不便であった。本発明はこのような課題を解決するために成されたものであり、その目的は、ネットワークに接続された分析装置を遠隔監視するためのシステムにおいて、端末上で制御・確認操作を行う分析装置と、実際の分析装置とをユーザが容易に関連付けることができるように支援することにある。
【課題を解決するための手段】
【０００８】
上記課題を解決するために成された本発明に係る分析装置稼働状況表示システムは、
複数の分析装置、分析装置の稼働状況をデータ通信ネットワークを通じて収集する稼働状況収集部を備える分析用クライアントを含み、
前記分析用クライアントが、
分析装置と一対一に対応付けられており、互いに識別可能な複数の装置画像が実際の分析装置の配置位置を表すように配置されてなる分析装置配置画像を保存する画像保存部を備えることを特徴とする。【０００９】
また、本発明に係る分析装置稼働状況表示システムは、好適には、前記分析装置配置画像において、各装置画像上に、対応する分析装置の稼働状況を表示させた稼働状況画像を所定のタイミングで作成する稼働状況画像作成部を更に備える構成とすることができる。【００１０】
さらに好適には、上記分析用クライアントが、前記稼働状況画像の表示画面において、指示子が装置画像上に位置した状態で所定の入力操作が行われたことに基づき、該装置画像に対応する分析装置の設定画面を表示させる設定画面表示部を更に備える構成とすることもできる。
【発明の効果】
【００１１】
本発明に係る分析装置稼働状況表示システムによれば、分析装置から離れた場所に設置されることが多い分析用クライアントの画面上に分析装置の配置位置が示された分析装置配置画像が表示されるから、ユーザが分析装置が配置された位置を視覚的に認識することができる。従って、例えばクライアント端末で成る分析装置の制御を行った後、該当する分析装置まで足を運び、サンプルをセットするといった作業を行う際に、ユーザが分析装置を間違えてしまったり、その設置箇所を探さなければならなかったりするという煩わしさが解消される。【００１２】
また、分析用クライアントが稼働状況画像作成部を備えた構成においては、稼働状況画像には各画像装置の稼働状況が刻々と更新されて表示されるから、ユーザは稼働状況を示す表を画面上で開くことなく分析装置の現在の状況をリアルタイムで知ることができる。【００１３】
さらに、分析用クライアントが設定画面表示部を備えた構成においては、稼働状況画像が表示されている画面において、マウスポインタ等の指示子を装置画像の上に置いてクリック等の入力操作を行うことによって、該装置画像に対応する分析装置の設定画面を直ぐに表示させることができるため、より直感的でスムーズな操作が可能となる。
【図面の簡単な説明】
【００１４】
【図１】本発明に係る分析装置稼働状況表示システムの一実施形態の概略構成を示すブロック図。
【図２】稼働状況画像を含むウィンドウの表示例。
【図３】詳細表示がポップアップ表示された稼働状況画像の例
【図４】稼働状況画像において分析装置の種類を選択した場合の表示例を示す図。
【図５】本発明に係る分析装置稼働状況表示システムをサーバ−クライアント型で使用する例の概略構成ブロック図。
【図６】従来のシステムにおける分析装置の状況表示例。
【符号の説明】
【００１５】
１…分析装置稼働状況表示システム
２…データ通信ネットワーク
３…分析装置配置画像
４…稼働状況画像
１１…画像保存部
１２…稼働状況画像作成部
１３…設定画面表示部
１４…稼働状況収集部
１５…詳細情報表示部
１６…表示種類選択部
１８…モニタ
１９…入力部
２１…稼働状況通知部
３０１…サーバ
【発明を実施するための最良の形態】
【００１６】
図１は本発明に係る分析装置稼働状況表示システムの一実施形態の概略構成を示すブロック図である。本実施形態のシステム１は、ＬＡＮ等のデータ通信ネットワーク２に接続された分析用クライアントＡ１０１、クライアントＢ１０２、…、及び複数の分析装置２０１、２０２、…を含む。なお、図１には分析装置を４台しか描いていないが、以下の説明では６台の分析装置がネットワークに接続されているものとする。【００１７】
クライアント１０１、１０２、…は通常はパソコンであって、図示せぬＣＰＵ、メモリ（ＲＡＭ）のほか、プログラムやデータなどが予め記憶されているハードディスク等の記憶媒体、ＣＲＴ（Cathode Ray Tube）ディスプレイや液晶ディスプレイから成るモニタ１８、文字・数字入力キー及び各種機能キーなどを備えているキーボードや、ポインティングデバイスであるマウスから成る入力部１９が相互に接続されている。記憶媒体の一部には画像保存部１１が設けられており、画像保存部１１には、分析装置と一対一に対応付けられており、互いに識別可能な複数の分析装置の配置位置が示された分析装置配置画像３が保存されている。【００１８】
分析装置配置画像３はユーザによって予め用意されているビットマップ画像やベクトル画像の画像データであり、実際の分析装置の配置位置を平面図等で表現したものである。
図１に示す例では、分析装置配置画像３として、ある部屋の平面図が画像保存部１１に保存されている。この分析装置配置画像３には分析装置であるＬＣ１、ＬＣ２、…、ＬＣ６に一対一に対応する装置画像が配置されている。装置画像は分析装置を模式的・簡略的に表すものでよく、実際の分析装置の形状や大きさを正確に反映している必要は無いが、どの装置画像がどの分析装置に対応しているのかが明確であるように描かれている必要がある。例えば、各装置画像上や装置画像付近にその分析装置名を表示させることができる。図１に示す分析装置配置画像３では各装置画像は、略正方形の画像上にＬＣ１、ＬＣ２、…という分析装置名が示されて成る。従って、ユーザがこの分析装置配置画像３を見たときに、どの装置画像がどの分析装置に対応しているかを一目で認識することができる。
この分析装置配置画像３は、ユーザがその画像を見た際に、実際の分析装置の位置を容易に把握出来る程度に詳細に描かれていることが好ましく、扉や机のような、設置されている分析装置の位置をユーザが理解するのに助けとなるものの画像も含めることもできる。【００１９】
また、分析用クライアント１０１、…は、ＣＰＵ上で所定の稼働状況表示プログラムが実行されることにより達成される機能である稼働状況画像作成部１２、設定画面表示部１３、稼働状況収集部１４を有している。【００２０】
分析装置２０１、２０２、…はそれぞれ稼働状況通知部２１、２２を備えており、クライアント１０１の稼働状況収集部１４からの要求に応じて、その分析装置の稼働状況情報を送信する。この稼働状況通知部は分析装置に組み込まれていてもよいし、分析装置に接続されたコンピュータである分析装置用コントローラ等が有する機能であってもよい。なお、本例では分析装置はＬＣ（液体クロマトグラフ）分析装置としているが、本発明のシステムにおいて分析装置は他の分析装置、計測装置であってもよく、複数種類の分析・計測装置が混在していても構わない。【００２１】
本発明に係る分析装置稼働状況表示システムのクライアントＡ１０１において分析装置の稼働状況を示す稼働状況画像を表示させるためには、下準備として、画像描画ソフト等を用いて描かれた分析装置配置画像３に、各装置画像の位置を特定するための座標値や座標データから成る装置画像情報を含めておく。【００２２】
上記の方法では、ユーザは分析装置配置画像３を装置画像を含んで描き、装置画像の位置をユーザが特定することによって、装置画像と分析装置とを関連付けるという作業を行う。この作業をより簡略に行えるようにするために、本発明の分析装置稼働状況表示システムでは、分析装置配置画像３の作成を支援する機能を設けておいてもよい。この機能では、例えば、装置画像が未だ描かれていない元分析装置配置画像に対して各分析装置と既に対応付けられたアイコンである装置画像を配置することにより、装置画像情報を含む分析装置配置画像３を作成する。【００２３】
次に、ユーザの操作によって（或いは自動的に）クライアントＡ１０１で稼働状況表示プログラムが起動すると、稼働状況収集部１４は全ての分析装置２０１、２０２、…に対して情報閲覧要求を送信する。この要求を受けた稼働状況通知部２１、２２、…は、その分析装置の稼働状況情報をクライアントＡ１０１の稼働状況収集部１４に送信する。
ここで、分析装置の稼働状況には、各分析装置において分析手順を指示した分析スケジュール表に則って自動的に進行される分析のステータス情報（例えば、実行前待機中、実行中、終了、エラー発生など）のほか、その分析の担当者を識別する情報や、分析の終了予定時刻などが含まれる。
稼働状況収集部１４は、所定の時間間隔で各分析装置の稼働状況情報を収集・統合し、稼働状況情報の最新性を保持する。または、分析装置の稼働状況が変化した都度、分析装置の側から稼働状況収集部１４に新たな稼働状況情報を送信する構成であってもよい。【００２４】
稼働状況画像作成部１２は、画像保存部１１から分析装置配置画像３を読み出すとともに装置画像情報を参照し、稼働状況収集部１４によって収集された各分析装置の稼働状況情報を基にして、分析装置配置画像３の各装置画像上に、対応する分析装置の稼働状況を文字データ又は画像データとして表示させることによって稼働状況画像４を生成する。なお、ここでいう装置画像上とは装置画像の真上に限るものではなく、装置画像の付近であってもよい。
こうして作成された稼働状況画像４は、モニタ１８に表示される（図２）。稼働状況画像作成部１２は、稼働状況画像４に表示される情報が最新のものとなるように、新たな稼働状況画像４を所定のタイミングで更新生成する。このタイミングは、稼働状況収集部１４が収集する各分析装置の稼働状況情報の更新があったときでもよいし、予め設定しておいた更新時間毎としてもよい。【００２５】
分析装置配置画像３の装置画像上に表示させることができる分析装置の稼働状況には、例えばその装置の利用可能の可否や、現在分析装置を使用している使用者名等がある。また、分析装置の稼働状況に合わせて、装置画像の色や形状を変化させてもよい。例えば、使用不可の分析装置に対応する装置画像上には「使用不可」と表記するとともに、その装置画像の明度を低くすることができる。図２には稼働状況画像４において、使用可能な分析装置に対応する装置画像上には「可」という文字が表示され、一方で使用不可能な分析装置に対応する装置画像には斜線がひかれ、且つその上に「不可」という文字が表示されている。【００２６】
モニタ１８に表示されている稼働状況画像４において、ユーザが指示子（マウスポインタ）Ｐを移動させていずれかの装置画像上に置き、ダブルクリック等の入力操作を行うと、その入力を受けた設定画面表示部１３は該装置画像に対応する分析装置の設定画面を表示させる。従って、ユーザは、稼働状況画像４が表示されている状態から直接、分析装置の詳細な設定作業に移行することが出来る。
また、稼働状況画像４の表示画面から、分析装置の設定画面以外の分析装置に関連した画面を表示させる構成とすることもできる。例えばマウスポインタＰが装置画像上に置かれている際に右クリックを行うと、分析装置に係るデータファイル等の情報表示を選択することができるコンテキストメニューが表示されるようにしてもよい。【００２７】
稼働状況画像４において表示される分析装置の稼働状況は、通常は「可」「不可」というように、分析装置の稼働状況に含まれるごく一部の情報でしかない。上述したように、装置画像から所定の指示入力を行うことにより、直ぐに設定画面を表示させることはできるものの、この場合には一々設定画面が表示されてしまい、煩わしく感じられる可能性がある。そこで、本発明のシステムでは、詳細情報表示部１５を更に設けることが好適である。詳細情報表示部１５はマウスポインタＰが装置画像の上に重ねられたことを探知し、図３に示すように、その装置画像に対応する分析装置の稼働状況の一部、又は全部から成る詳細情報をポップアップ表示させる。または、その詳細情報をウィンドウの所定の箇所に表示させる。【００２８】
システム１に接続されている分析装置の種類が多い場合には、稼働状況画像４において特定の種類の分析装置のみが、他の種類の分析装置に対して相対的に強調表示されているとわかりやすい。そこで、本発明に係る分析装置稼働状況表示システムでは、クライアント１０１、１０２、…に表示種類選択部１６を更に設けるのが好適である。この構成の場合には、図４に示すように、稼働状況画像４が表示されるウィンドウの一部に、装置タイプを選択することができるコンボボックスＣ等の選択部を設ける。【００２９】
図４の左側のウィンドウでは装置タイプとして「ＡＬＬ」が選択されており、全種類の分析装置が表示されている。ここではＬＣ、ＧＣ、天秤の三種類の分析装置が設置されている。ユーザが入力部１９を用いて装置タイプ「ＧＣ」を選択すると、表示種類選択部１６は、その入力指示に基づき、稼働状況画像４においてＧＣ以外の種類の装置画像をグレー表示に変更する（図４右側のウィンドウ）。即ち、ＧＣに係る装置画像のみがアクティブとなって表示され、結果として相対的に強調表示される。本例では、ＧＣ以外の種類の分析装置は、装置名（「ＬＣ１」など）も非表示となっているが、稼働状況画像４で装置名を表示させてももちろん構わない。
また、表示種類選択部１６は単に装置画像の表示形態をのみを変化させる動作を行うものとし、装置画像をクリックすれば通常通り対応する分析装置の設定画面が表示されたり、装置画像の上にマウスポインタＰを置いた際に詳細情報が表示されたりするようにしてもよい。【００３０】
以上、本発明に係る分析装置稼働状況表示システムについて例を挙げつつ説明を行ったが、上記は一例に過ぎず、本発明の精神内で適宜変更、改良を行っても良いことは明らかである。【００３１】
上記の例ではクライアントが分析装置の稼働状況情報を統合する構成を述べたが、この稼働状況は、クライアントとは別にネットワーク上に設けられた統合サーバ等において一元的に全分析装置の稼働状況を収集して統合し、その稼働状況をクライアントの稼働状況収集部１４に送信するという構成であってもよい。【００３２】
変形例の一つとして、本発明に係る分析装置稼働状況表示システムをサーバ−クライアント型のシステムとすることもできる（図５）。本構成のシステムは、サーバ３０１及び各分析用クライアントＡ１０１、分析用クライアントＢ１０２、分析用クライアントＣ１０３、…において、所定の分析装置稼働状況表示プログラムが実行されることにより実現される。【００３３】
この構成では、サーバ３０１に画像保存部１１、稼働状況画像作成部１２を設けることにより、サーバ側で一元的に稼働状況画像４を作成・管理する。即ち、サーバ３０１の稼働状況画像作成部１２が、稼働状況が更新される都度、稼働状況画像４を作成し、分析用クライアントＡ１０１、１０２、１０３、…に対して送信する。分析用クライアントＡ１０１では、受信した稼働状況画像４をモニタ１８に表示させる。分析用クライアントのコンピュータに設定画面表示部１３を設けておくことによって、モニタ１８の稼働状況画像４が表示されている画面において装置画像をクリックすると、対応する分析装置の設定画面を開くことができる。この設定画面の情報は、各分析装置から直接受信する構成であっても良いし、サーバから受信する構成であっても良い。【００３４】
以上のような構成とすることにより、分析装置配置画像３はサーバ３０１の画像保存部１１のみに保存するだけでよく、各分析用クライアントに対して設定を行う必要がなくなる。また、分析装置の配置に変更があったような場合には、サーバ３０１の画像保存部１１に保存されている分析装置配置画像３に対してのみ変更を加えるだけで、全ての分析用クライアントにその効果が及ぶ。【００３５】
また、稼働状況画像作成部１２及び稼働状況収集部１４をサーバに設けるのではなく、分析用クライアント側に設けてもよい。この場合、サーバ３０１には画像保存部１１のみを設け、各分析用クライアントに分析装置配置画像３を、例えば分析用クライアントの起動時などのタイミングで配信する。本構成によれば、分析装置配置画像３を一元的に管理・保存することが可能である。【００３６】
なお、以上のようなサーバ−クライアント型の構成においては、ユーザが不注意で、或いは誰かが悪意をもって分析装置配置画像３を変更、改竄してしまうことを防ぐために、特定のユーザのみ、すなわち特定のＩＤ及びパスワードによってログインしたユーザのみがサーバ３０１の画像保存部１１に保存された分析装置配置画像３を変更可能としておくことが望ましい。
【図１】
2007086140.tif 000003
【図２】
2007086140.tif 000004
【図３】
2007086140.tif 000005
【図４】
2007086140.tif 000006
【図５】
2007086140.tif 000007
【図６】
2007086140.tif 000008
【手続補正書】
【提出日】平成20年7月29日(2008.7.29)
【手続補正１】
【補正対象書類名】特許請求の範囲
【補正対象項目名】請求項３
【補正方法】変更
【補正の内容】
【請求項３】
前記分析用クライアントが、
c)前記稼働状況画像の表示画面において、指示子が装置画像上に位置した状態で所定の入力操作が行われたことに基づき、該装置画像に対応する分析装置の設定画面を表示させる設定画面表示部
を更に備えることを特徴とする請求項２に記載の分析装置稼働状況表示システム。
【手続補正２】
【補正対象書類名】特許請求の範囲
【補正対象項目名】請求項４
【補正方法】変更
【補正の内容】
【請求項４】
前記分析用クライアントが、
d)該稼働状況画像の表示画面において、装置画像の上に指示子が重ねられた際に、対応する分析装置の稼働状況の詳細情報をポップアップ表示又は稼働状況画像の表示画面の所定の箇所に表示させる詳細情報表示部
を更に備えることを特徴とする請求項２又は３に記載の分析装置稼働状況表示システム。
【手続補正３】
【補正対象書類名】特許請求の範囲
【補正対象項目名】請求項５
【補正方法】変更
【補正の内容】
【請求項５】
前記分析用クライアントが、
e)ユーザより入力された分析装置種類指定指示に基づき、指定された種類の分析装置に対応する装置画像を前記稼働状況画像において相対的に強調表示させる表示種類選択部
を更に備えることを特徴とする請求項２〜４のいずれかに記載の分析装置稼働状況表示システム。
【手続補正４】
【補正対象書類名】特許請求の範囲
【補正対象項目名】請求項６
【補正方法】変更
【補正の内容】
【請求項６】
分析装置稼働状況表示システムにおいて、データ通信ネットワークを通じて分析用クライアントと通信可能なサーバを更に含み、
前記サーバが前記画像保存部を備え、
前記クライアントの前記稼働状況画像作成部が、前記サーバの画像保存部に保存されている分析装置配置画像を利用することを特徴とする請求項２〜５のいずれかに記載の分析装置稼働状況表示システム。
【手続補正５】
【補正対象書類名】特許請求の範囲
【補正対象項目名】請求項７
【補正方法】変更
【補正の内容】
【請求項７】
分析装置稼働状況表示システムにおいて、データ通信ネットワークを通じて分析用クライアントと通信可能なサーバを更に含み、
前記サーバが前記画像保存部及び前記稼働状況画像作成部を備え、
前記クライアントが、前記稼働状況画像作成部によって所定のタイミングで作成される稼働状況画像を表示することを特徴とする請求項２〜５のいずれかに記載の分析装置稼働状況表示システム。
【手続補正６】
【補正対象書類名】明細書
【補正対象項目名】００１１
【補正方法】変更
【補正の内容】
【００１１】
本発明に係る分析装置稼働状況表示システムによれば、分析装置から離れた場所に設置されることが多い分析用クライアントの画面上に分析装置の配置位置が示された分析装置配置画像が表示されるから、ユーザが分析装置が配置された位置を視覚的に認識することができる。従って、例えばクライアント端末である分析装置の制御を行った後、該当する分析装置まで足を運び、サンプルをセットするといった作業を行う際に、ユーザが分析装置を間違えてしまったり、その設置箇所を探さなければならなかったりするという煩わしさが解消される。
【手続補正７】
【補正対象書類名】明細書
【補正対象項目名】００１２
【補正方法】変更
【補正の内容】
【００１２】
また、分析用クライアントが稼働状況画像作成部を備えた構成においては、稼働状況画像には各装置の稼働状況が刻々と更新されて表示されるから、ユーザは稼働状況を示す表を画面上で開くことなく分析装置の現在の状況をリアルタイムで知ることができる。
【手続補正８】
【補正対象書類名】明細書
【補正対象項目名】００１４
【補正方法】変更
【補正の内容】
【００１４】
【図１】本発明に係る分析装置稼働状況表示システムの一実施形態の概略構成を示すブロック図。
【図２】稼働状況画像を含むウィンドウの表示例。
【図３】詳細情報がポップアップ表示された稼働状況画像の例
【図４】稼働状況画像において分析装置の種類を選択した場合の表示例を示す図。
【図５】本発明に係る分析装置稼働状況表示システムをサーバ−クライアント型で使用する例の概略構成ブロック図。
【図６】従来のシステムにおける分析装置の状況表示例。
【国際調査報告】
2007086140.tif 000009
2007086140.tif 000010